(57)【要約】【課題】突き膨れが生じにくい縁無し畳の提供。【解決手段】畳芯材２の上面２ａを覆う畳表４の全周を、畳芯材２の側面に沿って折り曲げて畳芯材２の下面２ｂで畳芯材２に接合し、畳芯材２の側面と畳表４との間に緩衝材８を設ける。【選択図】図４
2013124528.tif 000002
【特許請求の範囲】
【請求項１】
畳芯材の上面を覆う畳表を、前記畳芯材の上面側に接合せず、前記上面から前記畳芯材の側面に沿ってその全周を折り曲げて、前記畳芯材の下面に接合してなる縁無し畳であって、
前記畳芯材の前記側面と前記側面を覆う畳表との間に緩衝材を設けた、縁無し畳。
【請求項２】
前記畳芯材と前記畳表との間にあって前記畳芯材の上面を覆う緩衝シートを備え、前記緩衝シートを前記畳芯材の側面で折り曲げて前記緩衝材とした、請求項１に記載の縁無し畳。
【請求項３】
前記緩衝材を、前記畳芯材の框側側面に設けた、請求項２に記載の縁無し畳。
【請求項４】
前記畳表が、経糸と模造藺草とを織ったものである、請求項３に記載の縁無し畳。
【請求項５】
前記畳芯材が、方形形状を有し、前記畳表が、イ筋方向を前記畳芯材の側面と並行させて配置されている、請求項３または４に記載の縁無し畳。
【請求項６】
当該縁無し畳が、複数整列されて床または枠体に敷き込み配置されるものである、請求項１ないし５のいずれかに記載の縁無し畳。
【請求項７】
隣接配置される当該縁無し畳どうしが、前記イ筋方向を互いに直交させて配置されるものである、請求項６に記載の縁無し畳。
【請求項８】
当該縁無し畳が、正方形形状を有している、請求項７に記載の縁無し畳。
【発明の詳細な説明】
【技術分野】
【０００１】
本発明は、畳縁が無い縁無し畳に関わり、より詳細には、畳表が畳芯材表面から側面に曲げ加工された縁無し畳に関する。
【背景技術】
【０００２】
縁無し畳は、フローリングされて洋風化された住宅の床に多く用いられている。図８を参照して、従来の縁無し畳１００は、一般に、畳芯材１０１と、畳表１０２と、緩衝シート１０３と、段差吸収シート１０４と、緩衝シート１０５と、剥離防止テープ１０６とから構成されている。
【０００３】
従来のこの種の縁無し畳１００を、例えば、図９に示すように、床に先に敷かれている縁無し畳２００に隣接して敷き詰める場合、縁無し畳１００により、先に敷かれている縁無し畳２００が押されて、図１０に示すように、当該縁無し畳２００の畳表２０２にいわゆる突き膨れγが発生し易い。尚、縁無し畳２００も、縁無し畳１００と同様の構成を備えているのは勿論である。
【０００４】
こうした縁無し畳２００の畳表における突き膨れγは、敷き詰めた縁無し畳１００，２００全体の外観を悪化させ、施工上の問題となる。そのため、こうした縁無し畳における突き膨れγの発生を防止することが望まれる。
【０００５】
尚、特許文献１には、側面に弾性体を設けた縁有り畳の一例が記載されている。この特許文献１に記載した縁有り畳は、その側面に弾性体が設けられている。しかし、特許文献１の畳の場合、畳表が、返し側側面に設けられた縁によって畳上面側で比較的強固に畳芯材に縫付接合されているから、前記弾性体の有無にかかわらず、突き膨れγがほとんど生じない。
【先行技術文献】
【特許文献】
【０００６】
【特許文献１】特許３４７８７８９号公報
【発明の概要】
【発明が解決しようとする課題】
【０００７】
本発明者は、縁無し畳における前記突き膨れの問題を解決すべく、鋭意研究した結果、以下のことが判明した。すなわち、縁無し畳１００，２００では、特許文献１の縁有り畳とは異なり、その畳表１０２，２０２が、畳の返し側側面において畳下面側に巻き込まれて畳芯材１０１，２０１の下面に接合されているだけである。そのため、縁無し畳２００と縁無し畳１００とを敷き詰めると、一方の縁無し畳１００（２００）の返し側側面が他方の縁無し畳２００（１００）から加圧されて、当該一方の縁無し畳１００（２００）において突き膨れγが生じやすいことが判明した。
【０００８】
本発明は、上記究明した事実に鑑みてなされたものであって、縁無し畳を敷き詰めても、これら縁無し畳の畳表に突き膨れが生じない、あるいは、生じにくい縁無し畳を提供することを目的とする。
【課題を解決するための手段】
【０００９】
本発明による縁無し畳は、畳芯材の上面を覆う畳表を、前記畳芯材の上面側に接合せず、前記上面から前記畳芯材の側面に沿ってその全周を折り曲げて、前記畳芯材の下面に接合してなる縁無し畳であって、前記畳芯材の前記側面と前記側面を覆う畳表との間に緩衝材を設けたことを特徴とする。
【００１０】
縁無し畳を敷き込み畳として敷き込む際には、縁無し畳は、隣接する他の縁無し畳をその平面方向に沿って押圧する。隣接する他の縁無し畳はこの押圧を受けて圧縮し、この圧縮によって隣接する他の縁無し畳において突き膨れを生じさせようとする力が作用する。
【００１１】
本発明の縁無し畳では、畳芯材の側面とその側面を覆う畳表との間に緩衝材を設けたから、敷き込みに際して前記突き膨れを生じさせようとする圧縮力が作用しても、この圧縮力は前記緩衝材を圧縮変形させる力として作用することにより、上述した圧縮押圧力はこの緩衝材により吸収されてしまう。
【００１２】
その結果、隣接する他の縁無し畳には、前記突き膨れを生じさせる押圧力が作用しなくなり、隣接する縁無し畳には畳表の突き膨れが生じなくなる。
【００１３】
尚、緩衝材は、押圧を受けて圧縮変形するものであれば、その素材は限定されず、例えば、ポリエステル等の繊維からなる不織布や内部に気泡を有する樹脂材を例示することができる。
【００１４】
また、不織布を例にすると、突き膨れを防止するうえでは２．０ｍｍ程度の厚みが好ましい。
【００１５】
尚、突き膨れを防止するうえでは、縁無し畳の全周に緩衝材を設けるのが好ましいが、畳の周方向に沿って断続的にその一部に設けてもよい。
【００１６】
さらには、畳厚み方向に沿って縁無し畳の側面全体を覆う形状に緩衝材を設けてもよい。この場合、畳厚み方向に沿って縁無し畳の側面の一部に緩衝材を設けても所要の効果を得られる。
【００１７】
また、前記畳芯材と前記畳表との間にあって前記畳芯材の上面を覆う緩衝シートをさらに備え、前記緩衝シートを前記畳芯材の側面で折り曲げ、その畳芯材の側面に存在する前記緩衝シート部分を前記緩衝材としてもよい。
【００１８】
このように前記緩衝シート部分を前記緩衝材とした場合、従来から畳の構成要素として汎用されている緩衝シートを折り曲げて緩衝材とするので、別途に、緩衝材を用意する手間と緩衝材を別途貼付ける手間とが不要となり、本発明を実施するのに必要となる部品点数および製造時の工数の削減が可能となる。
【００１９】
尚、前記緩衝材を前記畳芯材の框側側面に設けてもよい。それは次の理由によっている。前記突き膨れは返し側側面どうしを結ぶ方向には生じやすく、框側側面どうしを結ぶ方向には以下の理由で生じにくい。すなわち、畳表を構成する藺草は、藺草それぞれがイ筋方向に沿って配置されて目筋方向に沿って配列されている。したがって、目筋方向に沿って緩衝材が圧縮すると、その圧縮は藺草の配列方向に沿って畳表に伝わり、イ筋方向に沿って緩衝材が圧縮するとその圧縮は藺草の長手方向に沿って畳表に伝わる。
【００２０】
目筋方向に沿った圧縮を受けた畳表は、隣接する藺草間の隙間を若干狭めたり、藺草の配列をすこし蛇行させたりすることで、その圧縮を吸収する。そのため、目筋方向、すなわち、框側側面どうしを結ぶ方向で突き膨れはほとんど生じない。
【００２１】
さらには、畳の敷き込みの際に生じる緩衝材の圧縮は畳の目筋方向の全体寸法に比して微少であってその圧縮を吸収する際に生じる藺草配列の蛇行は少しばかりとなる。以上により畳表の見た目の平坦性もほとんど変化しない。
【００２２】
一方、イ筋方向に沿って圧縮を受けた畳表では、藺草間の隙間を狭めたり、藺草の配列を蛇行させたりして圧縮を吸収することができず、藺草それぞれが長手方向に凸状に湾曲変形することで圧縮を吸収する。
【００２３】
そのため、イ筋方向、すなわち、返し側側面どうしを結ぶ方向では、藺草の湾曲変形により突き膨れが生じる。突き膨れにより藺草に生じる変位は藺草長手方向中央部位において最大となるが、その際の最大変位量、すなわち、畳芯材からの浮き上がり量は、畳表に加わる圧縮が微少であっても比較的大きなものとなり、その結果として見た目にも目立つ突き膨れが生じる。
【００２４】
そこで、本発明では、畳芯材の側面と畳表との間に緩衝材を設け、緩衝材を畳芯材の框側側面に選択的に設けることで、緩衝材の圧縮方向を目筋方向に限定している。
【００２５】
これにより、緩衝材の圧縮に起因してその縁無し畳自身で生じる畳表の突き膨れを防止でき、さらには畳表における藺草の配列間隔を縮めたり配列をすこし蛇行させたりすることでその圧縮を吸収するので、畳表の見た目の平坦性もほとんど変化しなくて済む。
【００２６】
このように本発明では、隣接する他の縁無し畳での突き膨れの発生を防止することができるうえ、その縁無し畳自身における突き膨れの発生も防止することができる。
【００２７】
なお、緩衝材を畳芯材の框側側面に設ける態様は、経糸と模造藺草とを織ってなる畳表を備えた縁無し畳に実施するのがさらに好ましい。
【００２８】
縁無し畳では、天然藺草の畳表に替わって模造藺草の畳表が用いられることが多い。模造藺草は、ポリオレフィン樹脂やポリプロピレン系樹脂等の樹脂材料からなる。
【００２９】
模造藺草を用いるのは次のような理由によると考えられる。すなわち、天然藺草は、色艶に若干優れるものの、耐摩耗性などの耐久性が劣ることや変色が早いなどの欠点を有しており、さらには、近年主流となっている高気密、高断熱の住宅構造では結露を引き起こしやすく、吸水、吸湿によってカビやダニが発生するうえ、腐敗などが生じやすい欠点を有している。これに対して模造藺草は樹脂製の工業製品であって上述した欠点がないため、縁無し畳において多用されつつある。
【００３０】
このような特徴を有する模造藺草からなる畳表は、模造藺草が常温では変形加工しにくいという特徴を有している。そのため、畳表をイ筋方向の両側面、すなわち返し側側面で折り曲げ加工する際には、返し側側面において加熱金型等を用いて畳表を２００度程度に加熱したうえで模造藺草それぞれを折り曲げ処理する。したがって、緩衝材を返し側側面に設けた構成では、折り曲げ処理の際に加えられる熱が模造藺草を介して緩衝材に伝搬して緩衝材を変性させてしまう。そのため、変性後の緩衝材は機能しなくなる。
【００３１】
これに対して畳表を目筋方向の両側面、すなわち框側側面で折り曲げ加工する際には、畳表を框側側面において模造藺草の配列方向と直交する方向に折り曲げることになる。これにより、模造藺草の配列を直線状からＬ字状に変更することで折り曲げを実施でき、模造藺草それぞれを折り曲げ処理する必要がなくなって、その結果として上述した加熱処理が全く不要となる。
【００３２】
このような理由により、緩衝材を畳芯材の框側側面に設ける態様を模造藺草からなる畳表を有する縁無し畳に実施した場合、突き膨れ防止用の緩衝材を有する縁無し畳を熱変性に起因する緩衝材の機能不全を来たすことなく製造することが可能となる。
【００３３】
上記作用効果を有する本発明は、前記畳芯材は方形形状を有しており、前記畳表はイ筋方向を前記畳芯材の側面と並行させて配置されている、という構成を備えた縁無し畳において実施するのが好ましく、そうすれば、上述した作用効果がさらに顕著になる。
【００３４】
以上の作用効果を有する本発明の縁無し畳は、複数整列されて床もしくは枠体に敷き込まれるものとして使用される場合に最良の効果を奏する。
【００３５】
さらには、隣接配置される縁無し畳どうしは、前記イ筋方向を互いに直交させて配置されるものである、とするのがより好ましく、そうすれば、隣接し合う全ての縁無し畳どうしが框側側面と返し側側面とを対向させて配置されることになる結果、全ての縁無し畳において、縁無し畳自身で生じる突き膨れと、隣接する縁無し畳で生じる突き膨れとを確実に防止することができる。
【００３６】
イ筋方向を互いに直交させて縁無し畳を配置する場合、前記畳芯材を正方形形状とするのがより好ましく、そうすれば、敷き込み後の複数の縁無し畳全体において畳表のイ筋によって生じる形状が正方形の市松模様となってデザイン上、見映えもよくなる。
【発明の効果】
【００３７】
本発明によれば、畳芯材の前記側面と前記側面を覆う畳表との間に緩衝材を設けたので、縁無し畳の突き膨れを確実に防止することができる。
【図面の簡単な説明】
【００３８】
【図１】図１は本発明の一実施形態の縁無し畳の平面図である。
【図２】図２は図１のＡ−Ａ線断面図である。
【図３】図３は図１のＢ−Ｂ線断面図である。
【図４】図４は畳表の要部拡大斜視図である。
【図５】図５は実施の形態の縁無し畳を敷き込む際の第１の状態を示す要部拡大断面図である。
【図６】図６は実施の形態の縁無し畳を敷き込む際の第２の状態を示す要部拡大断面図である。
【図７】図７は実施形態の縁無し畳を敷き詰めた状態を示す平面図である。
【図８】図８は縁無し畳の従来例を示す断面図である。
【図９】図９は図８の縁無し薄畳を敷き詰める状態の図である。
【図１０】図１０は図８の縁無し畳を敷き詰めた場合の突き膨れを示す図である。
【発明を実施するための形態】
【００３９】
以下、添付した図面を参照して本発明の実施形態にかかる縁無し畳を詳細に説明する。図１は、実施形態の縁無し畳の平面図、図２は図１のＡ−Ａ線断面図、図３は、図１のＢ−Ｂ線断面図である。実施形態の縁無し畳１は、半畳（約９０ｃｍ四方）で厚み１０〜２５ｍｍ程度の正方形形状を有する薄畳である。
【００４０】
縁無し畳１は、畳芯材２と、緩衝シート３と、畳表４と、段差吸収シート５と、下面緩衝シート６と、剥がれ抑止テープ７とを備える。
【００４１】
畳芯材２は、インシュレーションボードやミディアムデンシティファイバーボードなどの木質繊維板、ベニヤコア合板、パーティクルボード、プラスチック発泡体等からなる。また、畳芯材２は、縁無し畳１より若干小さい平面と厚みとを有する平板形状を有する。
【００４２】
緩衝シート３は、例えば、ポリエステル等からなる厚み２ｍｍ程度の不織布であって、畳芯材２の上面２ａの全面に貼着されている。緩衝シート３はこの他、天然ゴム、合成ゴム、発泡樹脂等から構成することができる。緩衝シート３は弾性変形により圧縮可能な材料であればよいが、畳全面に敷設されるものであるため、透湿性を有する材料であるのが好ましく、その点から、緩衝シート３は不織布が最適である。
【００４３】
畳表４は、図４に示すように、麻糸等からなる複数の経糸４ａと複数の模造藺草４ｂとを織った茣蓙からなる。模造藺草４ｂは、内部に空気層を形成したポリオレフィン樹脂やポリプロピレン系樹脂等からなり、天然藺草を模した表面形状と太さを有する極太の糸形状を有している。なお、図４以外の図面においては、畳表４の構造は簡略して描かれており、これらの図面において畳表４は、模造藺草４ｂを並列配置したものとして表わされている。
【００４４】
畳表４は、イ筋方向αと目筋方向βとが畳芯材２の各側面と並行になる向きで配置されている。畳表４は、畳芯材２より一回り大きい平面形状を有しており、畳芯材２の上面２ａを覆って配置されている。
【００４５】
畳表４の端部は、全周にわたって畳芯材２の側面に沿って折り曲げられ、さらに畳芯材２の下面２ｂ側に折り曲げられている。具体的には、畳芯材２には、目筋方向βの両端にある框側側面２ｃ,２ｃと、イ筋方向αの両端にある返し側側面２ｄ,２ｄとがある。また、畳表４には、目筋方向βの両端にある目筋側端部４ｃと、イ筋方向αの両端にあるイ筋側端部４ｄとがある。
【００４６】
框側側面２ｃ,２ｃにおいて畳表４の目筋側端部４ｃは、框側側面２ｃに沿って折り曲げられ、さらに、下面２ｂ側に折り曲げられている。同様に、返し側側面２ｄ,２ｄにおいて、畳表４のイ筋側端部４ｄは返し側側面２ｄに沿って折り曲げられ、さらに下面２ｂ側に折り曲げられている。
【００４７】
このようにして、畳芯材２の下面２ｂ側に折り曲げられた畳表４の端部４ｃ、４ｄは、畳芯材２に接合されている。接合は例えば、鋲打ち機により実施される。
【００４８】
段差吸収板５は、畳表４と同等の厚みを有する板材から構成されており、畳表４の端部４ｃ、４ｄが存在しない畳芯材２の下面２ｂの中央部位に貼着されている。段差吸収板５が貼着されることで、畳芯材２の下面２ｂはほぼ面一となっている。面一となった下面２ｂは下面緩衝シート６によって覆われており、下面緩衝シート６の端部には剥がれ抑止テープ７が貼着されている。
【００４９】
緩衝シート３は、目筋方向βに沿って畳芯材２より若干大きい。また、緩衝シート３の框側端部３ａは、畳芯材２の框側側面２ｃで折り曲げられて畳芯材２の框側側面２ｃを覆っている。框側側面２ｃを覆う緩衝シート３の框側端部３ａは、緩衝材８を構成している。
【００５０】
緩衝材８は、框側側面２ｃの全面を覆って設けるのが最適であるが、框側側面２ｃの一部に設けてもよい。框側側面２ｃの一部に設ける場合、框側側面２ｃの全周であるものの框側側面２ｃの上側だけに設けるのが好ましい。このようにして設けられることで、緩衝材８は框側側面２ｃにおいて畳芯材２と畳表４との間に介在する。
【００５１】
以上のように構成される縁無し畳１は、次のようにして製造される。すなわち、畳芯材２の上面２ａに緩衝シート３を配置する。その際、緩衝シート３の框側端部３ａは畳芯材２の框側側面２ｃから外側に延出するように配置する。
【００５２】
さらに緩衝シート３の上に畳表４を配置したうえで、まず畳表４の目筋側端部４ｃを畳芯材２の框側側面２ｃに沿って折り曲げ、さらに畳芯材２の下面２ｂに沿って折り曲げる。
【００５３】
このときの畳表４の折り曲げは、模造藺草４ｂの配列方向に沿って行われるため、経糸４ａは折れ曲がるものの模造藺草４ｂ自身が折れ曲がることがなく、単に模造藺草４ｂの配列方向が９０度屈曲するだけである。そのため、この方向での畳表４の折り曲げは極めて容易に行うことができる。
【００５４】
以上のような目筋側端部４ｃにおける畳表４の折り曲げにより、目筋側端部４ｃと畳芯材２の框側側面２ｃとの間に配置されている緩衝シート３の框側端部３ａは、畳芯材２の框側側面２ｃに沿って自ずと折れ曲がる。
【００５５】
このとき、框側側面２ｃにおいて畳芯材２と畳表４との間には緩衝シート３が存在しているが、折り曲げの際には全く加熱処理が行われないので緩衝シート３が変性して緩衝特性を劣化させることもない。この状態で、畳表４の目筋側端部４ｃを畳芯材２の下面２ｂに接合する。接合は、釘打ち機等で行われる。
【００５６】
次に、畳表４のイ筋側端部４ｄの両方を、畳芯材２の返し側側面２ｄに沿って折り曲げ、さらに畳芯材２の下面２ｂに沿って折り曲げる。このときの畳表４の折り曲げは、模造藺草４ｂの長手方向に沿って行われるため、模造藺草４ｂ自身を折り曲げる処理が必要となる。
【００５７】
模造藺草４ｂは、ポリオレフィン樹脂やポリプロピレン系樹脂等の樹脂材料からなるため、常温で折り曲げ処理することができない。そのため、返し側側面２ｄにおいて畳芯材２と畳表４とを金型に挿入して２００℃程度に加熱しながら折り曲げ処理される。このとき、返し側側面２ｄにおいて畳芯材２と畳表４との間には緩衝シート３が存在しないので、折り曲げの際に加えられる熱（２００℃程度）によって緩衝シート３が変性して緩衝特性を劣化させることもない。この状態で、畳表４のイ筋側端部４ｄを畳芯材２の下面２ｂに接合する。接合は、釘打ち機等で行われる。
【００５８】
次に、畳芯材２の下面２ｂの中央部に段差吸収板５を貼着しさらに段差吸収板５を覆って畳芯材２の下面２ｂに下面緩衝シート６を貼着し、最後に下面緩衝シート６の周囲に剥がれ抑止テープ７を貼着することで縁無し畳１が完成する。
【００５９】
次に、本実施形態の縁無し畳１の敷き込みについて説明する。
【００６０】
縁無し畳１は、図５、図６に示すように、その框側側面１ａが、隣接する他の縁無し畳１’の返し側側面１ｂに当接する向きで整列されて、枠体１０を有する床等に敷き込まれる。なお、住居等に床においては、その側壁が枠体１０となる。また、側壁とは別に床に枠体１０’を別途敷設したうえで、この枠体１０’に縁なし畳１を敷き込んでもよい。
【００６１】
この敷き込みに際して、縁無し畳１は、隣接する他の縁無し畳１’を押圧してその平面方向に沿って押圧する。隣接する他の縁無し畳１’はこの押圧を受けて圧縮し、この圧縮によって隣接する他の縁無し畳１’において突き膨れγが生じる可能性がある。
【００６２】
しかしながら、縁無し畳１では、畳芯材２の框側側面２ｃと畳表４との間に緩衝材８を設けることで、敷き込みに際して緩衝材８を圧縮変形させる。具体的には、非圧縮時に厚みｈ１を有する緩衝材８を、厚みｈ２（ｈ２＜ｈ１）にまで圧縮することにより、上述した押圧力を吸収して隣接する他の縁無し畳１’に押圧力が及ぶことを防ぐことができる。その結果、隣接する他の縁無し畳１’では、畳表４の突き膨れγが生じにくくなる。
【００６３】
このように緩衝材８を圧縮変形させることで隣接する他の縁無し畳１’で突き膨れγが生じることを防止するのであるが、緩衝材８を設ける縁無し畳１自身においても、緩衝材８を圧縮する力が畳表４に伝わって突き膨れγが生じる可能性がある。前述したように、突き膨れγは畳表４のイ筋側端部４ｄどうしを結ぶ方向には生じやすく、目筋側端部４ｃどうしを結ぶ方向には生じにくいという特性がある。縁無し畳１では、畳芯材２の框側側面２ｃに緩衝材８を選択的に設けることで、緩衝材８の圧縮方向を目筋方向βに限定している。
【００６４】
これにより、緩衝材８の圧縮に起因して、その縁無し畳１自身で生じる畳表８の突き膨れγを防止でき、さらには畳表８における模造藺草４ｂの配列間隔を縮めたり配列をすこし蛇行させたりすることでその圧縮を吸収するので、畳表４の見た目の平坦性もほとんど変化しない。
【００６５】
このように縁無し畳１では、隣接する他の縁無し畳１’での突き膨れγの発生を防止することができるうえ、その縁無し畳１自身における突き膨れγの発生も防止することができる。
【００６６】
上述した畳の敷き込みを実施するために、図７に示すように、隣接配置される縁無し畳どうし１、１’は、イ筋方向αを互いに直交させて配置される。
【００６７】
このように配置すれば、隣接し合う全ての縁無し畳どうしが框側側面１ａと返し側側面１ｂとを対向させて配置されることになる結果、全ての縁無し畳１、１’,…において、縁無し畳１自身で生じる突き膨れγと、隣接する他の縁無し畳１’で生じる突き膨れγとを確実に防止することができる。
【００６８】
さらには、正方形状を有する縁無し畳１を、このように配置することで、敷き込み後の複数の縁無し畳１、１’、…全体において畳表４のイ筋によって生じる形状が正方形の市松模様となってデザイン上の見映えもよくなる。
【００６９】
以上説明したように、本実施形態では、畳芯材２の側面とその側面を覆う畳表４との間に緩衝シート３を設けたので、敷き込みに際して、隣接する縁無し畳への圧縮力は、緩衝シート３を圧縮変形させる力として作用し、緩衝シート３により吸収されてしまう。その結果、本実施形態では、隣接する他の縁無し畳には、突き膨れを生じさせる押圧力が作用しないので、隣接する縁無し畳には畳表の突き膨れが生じなくなる。
【符号の説明】
【００７０】
１  縁無し畳
１ａ  框側側面
１ｂ  返し側側面
２  畳芯材
２ａ  上面
２ｂ  下面
２ｃ  框側側面
２ｄ  返し側側面
３  緩衝シート
３ａ  框側端部
４  畳表
４ａ  経糸
４ｂ  模造藺草
４ｃ  目筋側端部
４ｄ  イ筋側端部
５  段差吸収板
６  下面緩衝シート
７  剥がれ抑止テープ
８  緩衝材
１０  枠体
α  イ筋方向
β  目筋方向
γ  突き膨れ
【図１】
2013124528.tif 000003
【図２】
2013124528.tif 000004
【図３】
2013124528.tif 000005
【図４】
2013124528.tif 000006
【図５】
2013124528.tif 000007
【図６】
2013124528.tif 000008
【図７】
2013124528.tif 000009
【図８】
2013124528.tif 000010
【図９】
2013124528.tif 000011
【図１０】
2013124528.tif 000012